(57)【要約】【課題】献立の作成や食材の調達に関してユーザの利便性を高めること。【解決手段】複数の店舗（販売チャネル）でそれぞれ販売されている食材および単価に関する食材情報を店舗毎に収集する情報収集部１０４と、ユーザにより設定された検索条件に基づいて、複数の献立から所望の献立を検索し、食材情報に基づいて、検索された献立で用いられる食材を店舗毎に検索する制御部１０１とを備え、制御部１０１は、検索結果に基づいて、当該献立にかかる食材費を店舗毎に算出した後、食材費が算出された店舗の中からユーザにより指定された店舗に対して、当該献立で用いられる食材を注文する。【選択図】      図１
2004302641.tif 000002
【特許請求の範囲】
【請求項１】
コンピュータを、
複数の店舗でそれぞれ販売されている食材および単価に関する食材情報を店舗毎に収集する食材情報収集手段、
ユーザにより設定された検索条件に基づいて、複数の献立から所望の献立を検索する献立検索手段、
前記食材情報に基づいて、前記献立検索手段により検索された献立で用いられる食材を店舗毎に検索する食材検索手段、
前記食材検索手段の検索結果に基づいて、当該献立にかかる食材費を店舗毎に算出する食材費算出手段、
前記食材費算出手段で食材費が算出された店舗の中からユーザにより指定された店舗に対して、当該献立で用いられる食材を注文する注文手段、
として機能させるための献立支援プログラム。
【請求項２】
前記検索条件は、献立にかける予算であることを特徴とする請求項１に記載の献立支援プログラム。
【請求項３】
前記検索条件は、献立のジャンルであることを特徴とする請求項１または２に記載の献立支援プログラム。
【請求項４】
前記検索条件は、献立のコンセプトであることを特徴とする請求項１〜３のいずれか一つに記載の献立支援プログラム。
【請求項５】
前記注文手段は、食材費が最安値である店舗に対して、前記食材を注文することを特徴とする請求項１〜４のいずれか一つに記載の献立支援プログラム。
【請求項６】
前記注文手段は、食材費が最高値である店舗に対して、前記食材を注文することを特徴とする請求項１〜４のいずれか一つに記載の献立支援プログラム。
【請求項７】
前記コンピュータを、前記ユーザが既に調達済みの食材を管理する調達済食材管理手段として機能させ、前記食材費算出手段は、前記食材検索手段の検索結果から前記調達済みの食材を除外した結果に基づいて、当該献立にかかる食材費を店舗毎に算出することを特徴とする請求項１〜６のいずれか一つに記載の献立支援プログラム。
【請求項８】
コンピュータを、
店舗で販売されている食材および単価に関する食材情報を収集する食材情報収集手段、
ユーザにより設定された検索条件に基づいて、複数の献立から所望の献立を検索する献立検索手段、
前記献立検索手段により検索された献立および前記食材情報に基づいて、前記献立で用いられる食材を店舗へ注文する注文手段、
として機能させるための献立支援プログラム。
【請求項９】
コンピュータを、
複数の店舗でそれぞれ販売されている食材および単価に関する食材情報を店舗毎に収集する食材情報収集手段、
ユーザに所望の献立を設定させる献立設定手段、
前記食材情報に基づいて、前記献立設定手段で設定された献立で用いられる食材を店舗毎に検索する食材検索手段、
前記食材検索手段の検索結果に基づいて、当該献立にかかる食材費を店舗毎に算出する食材費算出手段、
前記食材費算出手段で食材費が算出された店舗の中からユーザにより指定された店舗に対して、当該献立で用いられる食材を注文する注文手段、
として機能させるための献立支援プログラム。
【請求項１０】
複数の店舗でそれぞれ販売されている食材および単価に関する食材情報を店舗毎に収集する食材情報収集工程と、
ユーザにより設定された検索条件に基づいて、複数の献立から所望の献立を検索する献立検索工程と、
前記食材情報に基づいて、前記献立検索工程により検索された献立で用いられる食材を店舗毎に検索する食材検索工程と、
前記食材検索工程の検索結果に基づいて、当該献立にかかる食材費を店舗毎に算出する食材費算出工程と、
前記食材費算出工程で食材費が算出された店舗の中からユーザにより指定された店舗に対して、当該献立で用いられる食材を注文する注文工程と、
を含むことを特徴とする献立支援方法。
【請求項１１】
前記検索条件は、献立にかける予算であることを特徴とする請求項１０に記載の献立支援方法。
【請求項１２】
前記検索条件は、献立のジャンルであることを特徴とする請求項１０または１１に記載の献立支援方法。
【請求項１３】
前記検索条件は、献立のコンセプトであることを特徴とする請求項１０〜１２のいずれか一つに記載の献立支援方法。
【請求項１４】
前記注文工程では、食材費が最安値である店舗に対して、前記食材を注文することを特徴とする請求項１０〜１３のいずれか一つに記載の献立支援方法。
【請求項１５】
前記注文工程では、食材費が最高値である店舗に対して、前記食材を注文することを特徴とする請求項１０〜１３のいずれか一つに記載の献立支援方法。
【請求項１６】
前記ユーザが既に調達済みの食材を管理する調達済食材管理工程を含み、前記食材費算出工程では、前記食材検索工程の検索結果から前記調達済みの食材を除外した結果に基づいて、当該献立にかかる食材費を店舗毎に算出することを特徴とする請求項１０〜１５のいずれか一つに記載の献立支援方法。
【請求項１７】
店舗で販売されている食材および単価に関する食材情報を収集する食材情報収集工程と、
ユーザにより設定された検索条件に基づいて、複数の献立から所望の献立を検索する献立検索工程と、
前記献立検索工程により検索された献立および前記食材情報に基づいて、前記献立で用いられる食材を店舗へ注文する注文工程と、
を含むことを特徴とする献立支援方法。
【請求項１８】
複数の店舗でそれぞれ販売されている食材および単価に関する食材情報を店舗毎に収集する食材情報収集工程と、
ユーザに所望の献立を設定させる献立設定工程と、
前記食材情報に基づいて、前記献立設定工程で設定された献立で用いられる食材を店舗毎に検索する食材検索工程と、
前記食材検索工程の検索結果に基づいて、当該献立にかかる食材費を店舗毎に算出する食材費算出工程と、
前記食材費算出工程で食材費が算出された店舗の中からユーザにより指定された店舗に対して、当該献立で用いられる食材を注文する注文工程と、
を含むことを特徴とする献立支援方法。
【請求項１９】
複数の店舗でそれぞれ販売されている食材および単価に関する食材情報を店舗毎に収集する食材情報収集手段と、
ユーザにより設定された検索条件に基づいて、複数の献立から所望の献立を検索する献立検索手段と、
前記食材情報に基づいて、前記献立検索手段により検索された献立で用いられる食材を店舗毎に検索する食材検索手段と、
前記食材検索手段の検索結果に基づいて、当該献立にかかる食材費を店舗毎に算出する食材費算出手段と、
前記食材費算出手段で食材費が算出された店舗の中からユーザにより指定された店舗に対して、当該献立で用いられる食材を注文する注文手段と、
を備えたことを特徴とする献立支援装置。
【請求項２０】
前記検索条件は、献立にかける予算であることを特徴とする請求項１９に記載の献立支援装置。
【請求項２１】
前記検索条件は、献立のジャンルであることを特徴とする請求項１９または２０に記載の献立支援装置。
【請求項２２】
前記検索条件は、献立のコンセプトであることを特徴とする請求項１９〜２１のいずれか一つに記載の献立支援装置。
【請求項２３】
前記注文手段は、食材費が最安値である店舗に対して、前記食材を注文することを特徴とする請求項１９〜２２のいずれか一つに記載の献立支援装置。
【請求項２４】
前記注文手段は、食材費が最高値である店舗に対して、前記食材を注文することを特徴とする請求項１９〜２２のいずれか一つに記載の献立支援装置。
【請求項２５】
前記ユーザが既に調達済みの食材を管理する調達済食材管理手段を備え、前記食材費算出手段は、前記食材検索手段の検索結果から前記調達済みの食材を除外した結果に基づいて、当該献立にかかる食材費を店舗毎に算出することを特徴とする請求項１９〜２４のいずれか一つに記載の献立支援装置。
【請求項２６】
店舗で販売されている食材および単価に関する食材情報を収集する食材情報収集手段と、
ユーザにより設定された検索条件に基づいて、複数の献立から所望の献立を検索する献立検索手段と、
前記献立検索手段により検索された献立および前記食材情報に基づいて、前記献立で用いられる食材を店舗へ注文する注文手段と、
を備えたことを特徴とする献立支援装置。
【請求項２７】
複数の店舗でそれぞれ販売されている食材および単価に関する食材情報を店舗毎に収集する食材情報収集手段と、
ユーザに所望の献立を設定させる献立設定手段と、
前記食材情報に基づいて、前記献立設定手段で設定された献立で用いられる食材を店舗毎に検索する食材検索手段と、
前記食材検索手段の検索結果に基づいて、当該献立にかかる食材費を店舗毎に算出する食材費算出手段と、
前記食材費算出手段で食材費が算出された店舗の中からユーザにより指定された店舗に対して、当該献立で用いられる食材を注文する注文手段と、
を備えたことを特徴とする献立支援装置。
【発明の詳細な説明】
【０００１】
【発明の属する技術分野】
本発明は、献立の作成支援に用いられる献立支援プログラム、献立支援方法および献立支援装置に関するものであり、特に、献立の作成や食材の調達に関してユーザの利便性を高めることができる献立支援プログラム、献立支援方法および献立支援装置に関するものである。
【０００２】
【従来の技術】
近時、家電製品のＩＴ化が進み、冷蔵庫内の食材について在庫管理し、食材名、賞味期限等の食材情報をデータベース化することにより、手持ちの食材を用いた献立を作成するという献立支援装置が出現している。
【０００３】
【特許文献１】
特開２００１−１４１３５０号公報
【０００４】
【発明が解決しようとする課題】
ところで、前述したように、従来の献立支援装置においては、冷蔵庫内に十分に手持ちの食材があることを前提として、献立が作成されるため、食材が不足している場合には、献立を作成できないという問題があった。
【０００５】
上述したように食材が不足した場合には、スーパマーケット等の店舗へ出向き食材を調達し、献立支援装置に登録すれば、上記献立を作成をすることが可能となる。
【０００６】
しかしながら、仕事をしながら家事もこなさなければならない勤労者にとっては、食材を調達する時間もままならない。また、特に、同勤労者の場合には、多忙のため、食材の価格を十分に吟味せずに、高いものを適当に購入することがよくあり、食費に無駄が生じる。
【０００７】
本発明は、上記に鑑みてなされたもので、献立の作成や食材の調達に関してユーザの利便性を高めることができる献立支援プログラム、献立支援方法および献立支援装置を提供することを目的とする。
【０００８】
【課題を解決するための手段】
上記目的を達成するために、請求項１にかかる発明は、コンピュータを、複数の店舗でそれぞれ販売されている食材および単価に関する食材情報を店舗毎に収集する食材情報収集手段、ユーザにより設定された検索条件に基づいて、複数の献立から所望の献立を検索する献立検索手段、前記食材情報に基づいて、前記献立検索手段により検索された献立で用いられる食材を店舗毎に検索する食材検索手段、前記食材検索手段の検索結果に基づいて、当該献立にかかる食材費を店舗毎に算出する食材費算出手段、前記食材費算出手段で食材費が算出された店舗の中からユーザにより指定された店舗に対して、当該献立で用いられる食材を注文する注文手段、として機能させるための献立支援プログラムである。
【０００９】
この発明によれば、ユーザ設定の検索条件、複数の献立から所望の献立を検索し、店舗から収集された食材情報に基づき、献立で用いられる食材を検索し、さらに食材費を店舗毎に算出し、ユーザにより指定された店舗に対して、当該献立で用いられる食材を注文することとしたので、献立の作成や食材の調達に関してユーザの利便性を高めることができる。
【００１０】
また、請求項２にかかる発明は、請求項１に記載の献立支援プログラムにおいて、前記検索条件は、献立にかける予算であることを特徴とする。
【００１１】
この発明によれば、検索条件を、献立にかける予算としたので、ユーザの懐具合に応じた献立作成、食材の注文を行うことができる。
【００１２】
また、請求項３にかかる発明は、請求項１または２に記載の献立支援プログラムにおいて、前記検索条件は、献立のジャンルであることを特徴とする。
【００１３】
この発明によれば、検索条件を、献立のジャンルとしたので、ユーザが望むジャンルで献立を作成することができ、さらにユーザの利便利を高めることができる。
【００１４】
また、請求項４にかかる発明は、請求項１〜３のいずれか一つに記載の献立支援プログラムにおいて、前記検索条件は、献立のコンセプトであることを特徴とする。
【００１５】
この発明によれば、検索条件を、献立のコンセプトとしたので、ユーザが望むコンセプトを献立に反映させることができ、さらにユーザの利便性を高めることができる。
【００１６】
また、請求項５にかかる発明は、請求項１〜４のいずれか一つに記載の献立支援プログラムにおいて、前記注文手段は、食材費が最安値である店舗に対して、前記食材を注文することを特徴とする。
【００１７】
この発明によれば、食材費が最安値である店舗に対して、食材を注文することとしたので、食費の節約を支援することができる。
【００１８】
また、請求項６にかかる発明は、請求項１〜４のいずれか一つに記載の献立支援プログラムにおいて、前記注文手段は、食材費が最高値である店舗に対して、前記食材を注文することを特徴とする。
【００１９】
この発明によれば、食材費が最高値である店舗に対して、食材を注文することとしたので、豪華な食事をしたいというユーザの欲求を迅速かつ的確に満たすことができる。
【００２０】
また、請求項７にかかる発明は、請求項１〜６のいずれか一つに記載の献立支援プログラムにおいて、前記コンピュータを、前記ユーザが既に調達済みの食材を管理する調達済食材管理手段として機能させ、前記食材費算出手段は、前記食材検索手段の検索結果から前記調達済みの食材を除外した結果に基づいて、当該献立にかかる食材費を店舗毎に算出することを特徴とする。
【００２１】
この発明によれば、ユーザが既に調達済みの食材を管理し、調達済みの食材を除外した食材について、当該献立にかかる食材費を店舗毎に算出することとしたので、不足分の食材のみを注文することができ、店舗から合理的に食材を調達することができる。
【００２２】
また、請求項８にかかる発明は、コンピュータを、店舗で販売されている食材および単価に関する食材情報を収集する食材情報収集手段、ユーザにより設定された検索条件に基づいて、複数の献立から所望の献立を検索する献立検索手段、前記献立検索手段により検索された献立および前記食材情報に基づいて、前記献立で用いられる食材を店舗へ注文する注文手段、として機能させるための献立支援プログラムである。
【００２３】
この発明によれば、ユーザにより設定された検索条件に基づいて、複数の献立から所望の献立を検索し、店舗から収集される食材情報に基づいて、献立で用いられる食材を店舗へ注文することとしたので、献立の作成や食材の調達に関してユーザの利便性を高めることができる。
【００２４】
また、請求項９にかかる発明は、コンピュータを、複数の店舗でそれぞれ販売されている食材および単価に関する食材情報を店舗毎に収集する食材情報収集手段、ユーザに所望の献立を設定させる献立設定手段、前記食材情報に基づいて、前記献立設定手段で設定された献立で用いられる食材を店舗毎に検索する食材検索手段、前記食材検索手段の検索結果に基づいて、当該献立にかかる食材費を店舗毎に算出する食材費算出手段、前記食材費算出手段で食材費が算出された店舗の中からユーザにより指定された店舗に対して、当該献立で用いられる食材を注文する注文手段、として機能させるための献立支援プログラムである。
【００２５】
この発明によれば、複数の店舗から収集された食材情報に基づいて、ユーザに設定された献立で用いられる食材を店舗毎に検索し、当該献立にかかる食材費を店舗毎に算出し、食材費が算出された店舗の中からユーザにより指定された店舗に対して、当該献立で用いられる食材を注文することとしたので、食材の調達に関してユーザの利便性を高めることができる。
【００２６】
また、請求項１０にかかる発明は、複数の店舗でそれぞれ販売されている食材および単価に関する食材情報を店舗毎に収集する食材情報収集工程と、ユーザにより設定された検索条件に基づいて、複数の献立から所望の献立を検索する献立検索工程と、前記食材情報に基づいて、前記献立検索工程により検索された献立で用いられる食材を店舗毎に検索する食材検索工程と、前記食材検索工程の検索結果に基づいて、当該献立にかかる食材費を店舗毎に算出する食材費算出工程と、前記食材費算出工程で食材費が算出された店舗の中からユーザにより指定された店舗に対して、当該献立で用いられる食材を注文する注文工程と、を含むことを特徴とする。
【００２７】
この発明によれば、ユーザ設定の検索条件、複数の献立から所望の献立を検索し、店舗から収集された食材情報に基づき、献立で用いられる食材を検索し、さらに食材費を店舗毎に算出し、ユーザにより指定された店舗に対して、当該献立で用いられる食材を注文することとしたので、献立の作成や食材の調達に関してユーザの利便性を高めることができる。
【００２８】
また、請求項１１にかかる発明は、請求項１０に記載の献立支援方法において、前記検索条件は、献立にかける予算であることを特徴とする。
【００２９】
この発明によれば、検索条件を、献立にかける予算としたので、ユーザの懐具合に応じた献立作成、食材の注文を行うことができる。
【００３０】
また、請求項１２にかかる発明は、請求項１０または１１に記載の献立支援方法において、前記検索条件は、献立のジャンルであることを特徴とする。
【００３１】
この発明によれば、検索条件を、献立のジャンルとしたので、ユーザが望むジャンルで献立を作成することができ、さらにユーザの利便利を高めることができる。
【００３２】
また、請求項１３にかかる発明は、請求項１０〜１２のいずれか一つに記載の献立支援方法において、前記検索条件は、献立のコンセプトであることを特徴とする。
【００３３】
この発明によれば、検索条件を、献立のコンセプトとしたので、ユーザが望むコンセプトを献立に反映させることができ、さらにユーザの利便性を高めることができる。
【００３４】
また、請求項１４にかかる発明は、請求項１０〜１３のいずれか一つに記載の献立支援方法において、前記注文工程では、食材費が最安値である店舗に対して、前記食材を注文することを特徴とする。
【００３５】
この発明によれば、食材費が最安値である店舗に対して、食材を注文することとしたので、食費の節約を支援することができる。
【００３６】
また、請求項１５にかかる発明は、請求項１０〜１３のいずれか一つに記載の献立支援方法において、前記注文工程では、食材費が最高値である店舗に対して、前記食材を注文することを特徴とする。
【００３７】
この発明によれば、食材費が最高値である店舗に対して、食材を注文することとしたので、豪華な食事をしたいというユーザの欲求を迅速かつ的確に満たすことができる。
【００３８】
また、請求項１６にかかる発明は、請求項１０〜１５のいずれか一つに記載の献立支援方法において、前記ユーザが既に調達済みの食材を管理する調達済食材管理工程を含み、前記食材費算出工程では、前記食材検索工程の検索結果から前記調達済みの食材を除外した結果に基づいて、当該献立にかかる食材費を店舗毎に算出することを特徴とする。
【００３９】
この発明によれば、ユーザが既に調達済みの食材を管理し、調達済みの食材を除外した食材について、当該献立にかかる食材費を店舗毎に算出することとしたので、不足分の食材のみを注文することができ、店舗から合理的に食材を調達することができる。
【００４０】
また、請求項１７にかかる発明は、店舗で販売されている食材および単価に関する食材情報を収集する食材情報収集工程と、ユーザにより設定された検索条件に基づいて、複数の献立から所望の献立を検索する献立検索工程と、前記献立検索工程により検索された献立および前記食材情報に基づいて、前記献立で用いられる食材を店舗へ注文する注文工程と、を含むことを特徴とする。
【００４１】
この発明によれば、ユーザにより設定された検索条件に基づいて、複数の献立から所望の献立を検索し、店舗から収集される食材情報に基づいて、献立で用いられる食材を店舗へ注文することとしたので、献立の作成や食材の調達に関してユーザの利便性を高めることができる。
【００４２】
また、請求項１８にかかる発明は、複数の店舗でそれぞれ販売されている食材および単価に関する食材情報を店舗毎に収集する食材情報収集工程と、ユーザに所望の献立を設定させる献立設定工程と、前記食材情報に基づいて、前記献立設定工程で設定された献立で用いられる食材を店舗毎に検索する食材検索工程と、前記食材検索工程の検索結果に基づいて、当該献立にかかる食材費を店舗毎に算出する食材費算出工程と、前記食材費算出工程で食材費が算出された店舗の中からユーザにより指定された店舗に対して、当該献立で用いられる食材を注文する注文工程と、を含むことを特徴とする。
【００４３】
この発明によれば、複数の店舗から収集された食材情報に基づいて、ユーザに設定された献立で用いられる食材を店舗毎に検索し、当該献立にかかる食材費を店舗毎に算出し、食材費が算出された店舗の中からユーザにより指定された店舗に対して、当該献立で用いられる食材を注文することとしたので、食材の調達に関してユーザの利便性を高めることができる。
【００４４】
また、請求項１９にかかる発明は、複数の店舗でそれぞれ販売されている食材および単価に関する食材情報を店舗毎に収集する食材情報収集手段と、ユーザにより設定された検索条件に基づいて、複数の献立から所望の献立を検索する献立検索手段と、前記食材情報に基づいて、前記献立検索手段により検索された献立で用いられる食材を店舗毎に検索する食材検索手段と、前記食材検索手段の検索結果に基づいて、当該献立にかかる食材費を店舗毎に算出する食材費算出手段と、前記食材費算出手段で食材費が算出された店舗の中からユーザにより指定された店舗に対して、当該献立で用いられる食材を注文する注文手段と、を備えたことを特徴とする。
【００４５】
この発明によれば、ユーザ設定の検索条件、複数の献立から所望の献立を検索し、店舗から収集された食材情報に基づき、献立で用いられる食材を検索し、さらに食材費を店舗毎に算出し、ユーザにより指定された店舗に対して、当該献立で用いられる食材を注文することとしたので、献立の作成や食材の調達に関してユーザの利便性を高めることができる。
【００４６】
また、請求項２０にかかる発明は、請求項１９に記載の献立支援装置において、前記検索条件は、献立にかける予算であることを特徴とする。
【００４７】
この発明によれば、検索条件を、献立にかける予算としたので、ユーザの懐具合に応じた献立作成、食材の注文を行うことができる。
【００４８】
また、請求項２１にかかる発明は、請求項１９または２０に記載の献立支援装置において、前記検索条件は、献立のジャンルであることを特徴とする。
【００４９】
この発明によれば、検索条件を、献立のジャンルとしたので、ユーザが望むジャンルで献立を作成することができ、さらにユーザの利便利を高めることができる。
【００５０】
また、請求項２２にかかる発明は、請求項１９〜２１のいずれか一つに記載の献立支援装置において、前記検索条件は、献立のコンセプトであることを特徴とする。
【００５１】
この発明によれば、検索条件を、献立のコンセプトとしたので、ユーザが望むコンセプトを献立に反映させることができ、さらにユーザの利便性を高めることができる。
【００５２】
また、請求項２３にかかる発明は、請求項１９〜２２のいずれか一つに記載の献立支援装置において、前記注文手段は、食材費が最安値である店舗に対して、前記食材を注文することを特徴とする。
【００５３】
この発明によれば、食材費が最安値である店舗に対して、食材を注文することとしたので、食費の節約を支援することができる。
【００５４】
また、請求項２４にかかる発明は、請求項１９〜２２のいずれか一つに記載の献立支援装置において、前記注文手段は、食材費が最高値である店舗に対して、前記食材を注文することを特徴とする。
【００５５】
この発明によれば、食材費が最高値である店舗に対して、食材を注文することとしたので、豪華な食事をしたいというユーザの欲求を迅速かつ的確に満たすことができる。
【００５６】
また、請求項２５にかかる発明は、請求項１９〜２４のいずれか一つに記載の献立支援装置において、前記ユーザが既に調達済みの食材を管理する調達済食材管理手段を備え、前記食材費算出手段は、前記食材検索手段の検索結果から前記調達済みの食材を除外した結果に基づいて、当該献立にかかる食材費を店舗毎に算出することを特徴とする。
【００５７】
この発明によれば、ユーザが既に調達済みの食材を管理し、調達済みの食材を除外した食材について、当該献立にかかる食材費を店舗毎に算出することとしたので、不足分の食材のみを注文することができ、店舗から合理的に食材を調達することができる。
【００５８】
また、請求項２６にかかる発明は、店舗で販売されている食材および単価に関する食材情報を収集する食材情報収集手段と、ユーザにより設定された検索条件に基づいて、複数の献立から所望の献立を検索する献立検索手段と、前記献立検索手段により検索された献立および前記食材情報に基づいて、前記献立で用いられる食材を店舗へ注文する注文手段と、を備えたことを特徴とする。
【００５９】
この発明によれば、ユーザにより設定された検索条件に基づいて、複数の献立から所望の献立を検索し、店舗から収集される食材情報に基づいて、献立で用いられる食材を店舗へ注文することとしたので、献立の作成や食材の調達に関してユーザの利便性を高めることができる。
【００６０】
また、請求項２７にかかる発明は、複数の店舗でそれぞれ販売されている食材および単価に関する食材情報を店舗毎に収集する食材情報収集手段と、ユーザに所望の献立を設定させる献立設定手段と、前記食材情報に基づいて、前記献立設定手段で設定された献立で用いられる食材を店舗毎に検索する食材検索手段と、前記食材検索手段の検索結果に基づいて、当該献立にかかる食材費を店舗毎に算出する食材費算出手段と、前記食材費算出手段で食材費が算出された店舗の中からユーザにより指定された店舗に対して、当該献立で用いられる食材を注文する注文手段と、を備えたことを特徴とする。
【００６１】
この発明によれば、複数の店舗から収集された食材情報に基づいて、ユーザに設定された献立で用いられる食材を店舗毎に検索し、当該献立にかかる食材費を店舗毎に算出し、食材費が算出された店舗の中からユーザにより指定された店舗に対して、当該献立で用いられる食材を注文することとしたので、食材の調達に関してユーザの利便性を高めることができる。
【００６２】
【発明の実施の形態】
以下、図面を参照して本発明にかかる献立支援プログラム、献立支援方法および献立支援装置の一実施の形態について詳細に説明する。
【００６３】
図１は、本発明にかかる一実施の形態の構成を示すブロック図である。この図において、献立支援装置１００は、ネットワーク４００（例えば、インターネット）に接続されており、献立支援Ｗｅｂサイト２００（図１３参照）を介して、ユーザ端末５００１  〜５００ｎ  に対応する複数のユーザに対し、献立の作成支援や食材の注文等に関する献立支援サービスを提供する装置である。
【００６４】
また、献立支援装置１００は、店舗サーバ（実店舗サーバ６００１  〜６００ｍ  、仮想店舗サーバ７００１  〜７００ｓ  のうちいずれかのサーバ）にアクセスし、献立に基づく食材を注文する機能も備えている。
【００６５】
献立支援装置１００において、制御部１０１は、装置各部を制御する。この制御部１０１の動作の詳細については、後述する。Ｗｅｂ画面生成部１０２は、献立支援Ｗｅｂサイト２００における各画面（図１３参照）を生成する。献立支援Ｗｅｂサイト２００は、後述するように、ユーザにより設定される予算、コンセプト等に基づいて、献立を作成するとともに、必要な食材を注文するためのＷｅｂサイトである。
【００６６】
記憶部１０３は、大容量のハードディスク装置等であり、オペレーティングシステムや各種アプリケーションプログラム等を記憶している。情報収集部１０４は、店舗サーバ（実店舗サーバ６００１  〜６００ｍ  、仮想店舗サーバ７００１  〜７００ｓ  ）のそれぞれから、店舗別食材情報（食材名、単価等）を所定時間間隔毎にタイムリーに収集し、店舗別食材情報データベース３４０へ格納する。
【００６７】
決済部１０５は、食材の注文に関する注文合計金額を電子決済する機能を備えている。この電子決済としては、ユーザの金融機関口座から注文合計金額を引き落としたり、クレジットカード会社へ請求したりする方法が挙げられる。
【００６８】
通信部１０６は、所定の通信プロトコルに基づいて、献立支援装置１００と、ユーザ端末５００１  〜００ｎ  、実店舗サーバ６００１  〜６００ｍ  、仮想店舗サーバ７００１  〜７００ｓ    との間の通信を制御する。
【００６９】
ユーザ端末５００１  〜５００ｎ  は、ｎ人のユーザにそれぞれ操作され、ネットワーク４００を介して、献立支援装置１００（献立支援Ｗｅｂサイト２００）にアクセスし、献立支援サービスを受けるためのコンピュータ装置である。これらのユーザ端末５００１  〜５００ｎ  は、コンピュータ本体、ディスプレイ、キーボード、マウス、通信機器等から構成されている。
【００７０】
実店舗サーバ６００１  〜６００ｍ  は、食材の販売チャネルとしてのｍ店の実店舗側に設けられており、実店舗で販売されている食材（通常価格品、特価品、日替わり特価品、曜日特価品）について店舗別食材情報（食材名、単価等）をデータベース（図示略）で管理する機能を備えている。ここで、各実店舗は、スーパーマーケット等であり、各地域に分散している。
【００７１】
また、これらの実店舗サーバ６００１  〜６００ｍ  は、献立支援装置１００からの食材の注文を受け付け、発注者としての当該ユーザへ食材を配送する手続きを行う機能も備えている。
【００７２】
仮想店舗サーバ７００１  〜７００ｓ  は、仮想店舗（合計ｓ店）としてのＥＣ（Ｅｌｅｃｔｒｏｎｉｃ  Ｃｏｍｍｅｒｃｅ）サイト８００１  〜８００ｓ  を介して、電子商取引により食材をユーザへ販売するという販売サービスをそれぞれ提供するサーバである。
【００７３】
これらのＥＣサイト８００１  〜８００ｓ  には、実店舗のように、食材（通常価格品、特価品、日替わり特価品、曜日特価品）が仮想的に陳列されており、食材名や単価等が表示されている。
【００７４】
また、仮想店舗サーバ７００１  〜７００ｓ  は、実店舗サーバ６００１  〜６００ｍ  と同様にして、仮想店舗で販売されている食材について店舗別食材情報（食材名、単価等）をデータベース（図示略）で管理する機能や、献立支援装置１００からの食材の注文を受け付け、発注者としての当該ユーザへ食材を配送する手続きを行う機能等を備えている。
【００７５】
ここで、上述した販売チャネル（ｎ店の実店舗、ｓ店の仮想店舗）においては、店舗間の営業方針や地域性の相違に起因して、同一の食材について価格差が生じる。従って、ある販売チャネルでにんじんが１本５０円であるのに対して、他の販売チャネルでは、大特価セールにより、同じにんじんが１本５円という状況が当然のことながら生じる。
【００７６】
また、献立支援装置１００においては、ユーザ情報データベース３００、献立情報データベース３１０、ジャンル情報テーブル３２０、店舗情報データベース３３０、店舗別食材情報データベース３４０、注文情報データベース３５０、注文詳細情報データベース３６０および決済情報データベース３７０が設けられている。
【００７７】
以下では、これらのデータベース、テーブルについて、図２〜図９を参照しつつ説明する。図２に示したユーザ情報データベース３００は、ユーザ端末５００１  〜５００ｎ  に対応する各ユーザに関するユーザ情報を格納するデータベースであり、「ユーザＩＤ」、「パスワード」、「氏名」、「住所」および「電話番号」というフィールドを備えている。
【００７８】
「ユーザＩＤ」は、ユーザを一意に識別するための識別子である。「パスワード」は、献立支援Ｗｅｂサイト２００におけるログイン時の認証に用いられる文字・数字列である。「氏名」は、当該ユーザの氏名に関する情報である。「住所」は、当該ユーザの住所に関する情報である。「電話番号」は、当該ユーザの連絡先としての電話番号に関する情報である。
【００７９】
図３に示した献立情報データベース３１０は、予め設定された複数の献立に関する献立情報を格納するデータベースであり、「献立ＩＤ」、「献立」、「食材ＩＤ」、「数量」、「カロリ」および「ジャンルＩＤ」というフィールドを備えている。
【００８０】
「献立ＩＤ」は、献立支援装置１００で作成される献立を一意に識別するための識別子である。「献立」は、カレーライス、ちらし寿司等の献立の名称である。「食材ＩＤ」は、当該献立に用いられる食材（例えば、献立がカレーライスの場合、にんじん、カレールウ等）を一意に識別するための識別子である。
【００８１】
「数量」は、当該食材毎の数量に関する情報である。「カロリ」は、当該食材のカロリ（ｋｃａｌ）である。ここで、献立毎のカロリ集計は、当該献立の総カロリとなる。「ジャンルＩＤ」は、献立が属する料理のジャンル（例えば、洋食、和食、中華）を一意に識別するための識別子である。
【００８２】
図４に示したジャンル情報テーブル３２０は、上述した献立のジャンルを定義するためのテーブルであり、「ジャンルＩＤ」および「ジャンル」というフィールドを備えている。「ジャンルＩＤ」は、図３に示した献立情報データベース３１０の「ジャンルＩＤ」に対応している。「ジャンル」は、上述したように、洋食、和食、中華等の料理分類である。
【００８３】
図５に示した店舗情報データベース３３０は、図１に示した販売チャネルとしての実店舗および仮想店舗に関する店舗情報を格納するデータベースであり、「店舗ＩＤ」、「店名」、「所在地」、「電話番号」および「ＥＣサイトＵＲＬ（Ｕｎｉｆｏｒｍ  Ｒｅｓｏｕｒｃｅ  Ｌｏｃａｔｏｒ）」というフィールドを備えている。
【００８４】
「店舗ＩＤ」は、実店舗、仮想店舗（以下、単に店舗とも称する）を一意に識別するための識別子である。「店名」は、実店舗、仮想店舗の店名に関する情報である。「所在地」は、実店舗、仮想店舗の運営母体の所在地に関する情報である。
【００８５】
「電話番号」は、実店舗、仮想店舗の運営母体の連絡先としての電話番号に関する情報である。「ＥＣサイトＵＲＬ」は、仮想店舗としてのＥＣサイト８００１  〜８００ｓ  のそれぞれの場所を表すＵＲＬに関する情報である。なお、一実施の形態において、実店舗の場合には、「ＥＣサイトＵＲＬ」が無しとされる。
【００８６】
図６に示した店舗別食材情報データベース３４０は、各店舗で販売されている食材に関する食材情報を店舗毎に格納するデータベースであり、「店舗独自商品ＩＤ」、「食材」、「単価」、「店舗ＩＤ」および「食材ＩＤ」というフィールドを備えている。
【００８７】
「店舗独自商品ＩＤ」は、献立情報データベース３１０（図３参照）の「食材ＩＤ」に対応する食材に対して、各店舗独自の商品管理体系で付与される識別子である。「食材」は、献立に用いられる食材の名称に関する情報であり、献立情報データベース３１０（図３参照）の「食材」に対応している。「単価」は、当該食材の単価に関する情報である。
【００８８】
「店舗ＩＤ」は、店舗情報データベース３３０（図５参照）の「店舗ＩＤ」に対応している。「食材ＩＤ」は、当該食材を一意に識別するための識別子であり、献立情報データベース３１０の「食材ＩＤ」に対応している。
【００８９】
また、店舗別食材情報データベース３４０における各店舗別食材情報は、所定時間間隔毎で、情報収集部１０４により、実店舗サーバ６００１  〜６００ｍ  、仮想店舗サーバ７００１  〜７００ｓ  から自動収集された後、店舗別食材情報データベース３４０に格納される。
【００９０】
図７に示した注文情報データベース３５０は、献立支援装置１００（注文者としてのユーザの代理）から各店舗への食材の注文に関する注文情報を格納するデータベースであり、「注文ＩＤ」、「注文日時」、「店舗ＩＤ」、「ユーザＩＤ」、「注文合計」および「配達日時」というフィールドを備えている。
【００９１】
「注文ＩＤ」は、当該注文を一意に識別するための識別子である。「注文日時」は、注文した日時に関する情報である。「店舗ＩＤ」は、注文先の店舗を一意に識別するための識別子であり、店舗情報データベース３３０（図５参照）および店舗別食材情報データベース３４０（図６参照）の「店舗ＩＤ」に対応している。
【００９２】
「ユーザＩＤ」は、注文者としてのユーザを一意に識別するための識別子であり、ユーザ情報データベース３００（図２参照）に対応している。「注文合計」は、作成された献立に用いられる各食材の「小計」（図８参照）を合計した金額である。「配達日時」は、注文された食材をユーザ宅へ配達する日時である。
【００９３】
図８に示した注文詳細情報データベース３６０は、上記注文の詳細に関する注文詳細情報を格納するデータベースであり、「注文詳細ＩＤ」、「店舗独自商品ＩＤ」、「数量」、「小計」および「注文ＩＤ」というフィールドを備えている。
【００９４】
「注文詳細ＩＤ」は、注文詳細を一意に識別するための識別子である。「店舗独自商品ＩＤ」は、注文された商品に対応しており、店舗別食材情報データベース３４０（図６参照）の「店舗独自商品ＩＤ」に対応している。「数量」は、注文された当各食材に対応しており、献立情報データベース３１０（図３参照）の「数量」に対応している。
【００９５】
「小計」は、注文された食材の小計（単価×数量）である。「注文ＩＤ」は、当該注文を一意に識別するための識別子であり、注文情報データベース３５０の「注文ＩＤ」に対応している。
【００９６】
図９に示した決済情報データベース３７０は、決済部１０５（図１参照）による決済用の決済情報を格納するデータベースであり、「注文ＩＤ」、「ユーザＩＤ」および「決済金額」というフィールドを備えている。
【００９７】
「注文ＩＤ」は、決済に対応する注文を一意に識別するための識別子であり、注文情報データベース３５０（図７参照）の「注文ＩＤ」に対応している。「ユーザＩＤ」は、当該注文をしたユーザを識別するための識別子であり、注文情報データベース３５０（図７参照）の「ユーザＩＤ」に対応している。「決済金額」は、当該注文に関してユーザから店舗へ支払うべき金額であり、図７に示した注文情報データベース３５０の「注文合計」である。
【００９８】
つぎに、一実施の形態の動作について、図１０〜図１３を参照しつつ説明する。図１０は、図１に示した献立支援装置１００の動作を説明するフローチャートである。以下では、ユーザ端末５００１  に対応するユーザ（ユーザＩＤ＝１１１１：図２参照）が、献立支援装置１００を利用して、献立支援サービスを受ける例について説明する。
【００９９】
かかるユーザは、献立についてつぎのような希望を持っているものとする。
（１）上限の予算：１５００円
（２）ジャンル：洋食
（３）コンセプト；カロリ重視（１０００ｋｃａｌ以下のカロリを有する献立）
【０１００】
同図に示したステップＳＡ１では、献立支援装置１００の制御部１０１は、ユーザ端末５００１  〜５００ｎ  のうちいずれかのユーザ端末からアクセスがあるか否かを判断し、この場合、判断結果を「Ｎｏ」として、同判断を繰り返す。
【０１０１】
そして、当該ユーザに対応するユーザ端末５００１  がネットワーク４００を介して、献立支援装置１００にアクセスすると、制御部１０１は、ステップＳＡ１の判断結果を「Ｙｅｓ」とする。
【０１０２】
ステップＳＡ２では、制御部１０１は、献立支援Ｗｅｂサイト２００として、図１３に示したログイン画面２０１をユーザ端末５００１  に表示させる。このログイン画面２０１は、当該ユーザを認証するための認証情報（ユーザＩＤおよびパスワード）を入力するための画面である。
【０１０３】
ステップＳＡ３では、制御部１０１は、ログイン画面２０１で認証情報が入力されたか否かを判断し、この場合、判断結果を「Ｎｏ」として、同判断を繰り返す。
【０１０４】
そして、当該ユーザがログイン画面２０１に認証情報（ユーザＩＤおよびパスワード）を入力すると、制御部１０１は、ステップＳＡ３の判断結果を「Ｙｅｓ」とする。ステップＳＡ４では、制御部１０１は、入力された認証情報（ユーザＩＤ（図２参照）およびパスワード（図２参照））と、図２に示したユーザ情報データベース３００とを照合するという認証処理を実行する。
【０１０５】
ステップＳＡ５では、制御部１０１は、当該ユーザが認証されたか否かを判断し、この場合、判断結果を「Ｙｅｓ」とする。なお、ステップＳＡ５の判断結果が「Ｎｏ」である場合、ステップＳＡ７では、制御部１０１は、図１３に示したログインエラー画面２０２をユーザ端末５００１  に表示させた後、ステップＳＡ１の判断を行う。
【０１０６】
図１０に戻り、ステップＳＡ６では、制御部１０１は、献立支援・注文処理を実行する。具体的には、図１１に示したステップＳＢ１では、制御部１０１は、予算設定画面２０３（図１３参照）をユーザ端末５００１  に表示させる。この予算設定画面２０３は、献立作成の検索キーとしての予算を設定するための画面である。
【０１０７】
ステップＳＢ２では、制御部１０１は、予算設定画面２０３で予算が設定されたか否かを判断し、この場合、判断結果を「Ｎｏ」として、同判断を繰り返す。そして、ユーザは、上限の予算として、１５００円を予算設定画面２０３に設定する。
【０１０８】
これにより、制御部１０１は、ステップＳＢ２の判断結果を「Ｙｅｓ」とする。ステップＳＢ３では、制御部１０１は、図１３に示したジャンル設定画面２０４をユーザ端末５００１  に表示させる。このジャンル設定画面２０４は、献立のジャンルをユーザに設定させるための画面である。ここで、献立のジャンルとしては、図４に示したように、洋食、和食、中華等が挙げられる。
【０１０９】
この場合、ジャンル設定画面２０４には、洋食、和食、中華等から所望のジャンルを選択させる情報が表示されているものとする。ユーザは、上記ジャンル設定画面２０４で例えば洋食を設定する。ステップＳＢ４では、制御部１０１は、上記ジャンルが設定されたか否かを判断し、この場合、判断結果を「Ｎｏ」として、判断を繰り返す。
【０１１０】
そして、ユーザによりジャンルとして洋食が設定されると、制御部１０１は、ステップＳＢ４の判断結果を「Ｙｅｓ」とする。ステップＳＢ５では、制御部１０１は、図１３に示したコンセプト設定画面２０５をユーザ端末５００１  に表示させる。
【０１１１】
このコンセプト設定画面２０５は、献立の作成に当たって、検索キーの一つとなるコンセプトを設定する。コンセプトとしては、カロリ重視、安価重視、一点豪華主義等が挙げられる。ステップＳＢ６では、制御部１０１は、上記コンセプトが設定されたか否かを判断し、この場合、判断結果を「Ｎｏ」として、判断を繰り返す。
【０１１２】
この場合、ユーザは、前述した（３）のように、カロリを重視し、「１０００ｋｃａｌ以下のカロリを有する献立」というコンセプトをコンセプト設定画面２０５で設定する。
【０１１３】
これにより、制御部１０１は、ステップＳＢ６の判断結果を「Ｙｅｓ」とする。ステップＳＢ７では、制御部１０１は、ステップＳＢ３で設定されたジャンル（洋食）、ステップＳＢ５で設定されたコンセプト（カロリが１０００ｋｃａｌ以下）を検索キーとして、図３に示した献立情報データベース３１０から献立を検索する。
【０１１４】
具体的には、まず、制御部１０１は、ジャンル（洋食）を検索キーとして、献立情報データベース３１０から「ジャンルＩＤ」が８８８８（＝洋食：図４参照）である献立（カレーライス等）を検索する。以下では、この検索結果を第１の検索結果という。
【０１１５】
つぎに、制御部１０１は、第１の検索結果（洋食の献立）のそれぞれについて、「カロリ」（図３参照）を合計して総カロリを計算する。つぎに、制御部１０１は、コンセプト（カロリが１０００ｋｃａｌ以下）を検索キーとして、総カロリが１０００ｋｃａｌ以下の献立を検索する。以下では、この検索結果を第２の検索結果という。
【０１１６】
ステップＳＢ８では、制御部１０１は、ステップＳＢ７で献立が検索ヒットしたか否かを判断し、この場合、判断結果を「Ｙｅｓ」とする。なお、ステップＳＢ８の判断結果が「Ｎｏ」である場合、すなわち、献立が検索されなかった場合、
ステップＳＢ１３では、制御部１０１は、献立／食材エラー画面２０６（図１３参照）をユーザ端末５００１  に表示させる。
【０１１７】
ステップＳＢ９では、制御部１０１は、第２の検索結果（洋食かつ１０００ｋｃａｌ以下の献立）のそれぞれについて、図６に示した店舗別食材情報データベース３４０を参照しつつ、食材を検索する。すなわち、ステップＳＢ９では、献立で用いる全食材が店舗から調達可能であるかを検索している。
【０１１８】
ステップＳＢ１０では、制御部１０１は、ステップＳＢ９で食材が検索されたか否かを判断し、この場合、判断結果を「Ｙｅｓ」とする。なお、ステップＳＢ１０の判断結果が「Ｎｏ」である場合、ステップＳＢ１３では、制御部１０１は、献立／食材エラー画面２０６（図１３参照）をユーザ端末５００１  に表示させる。
【０１１９】
ステップＳＢ１１では、制御部１０１は、第２の検索結果（洋食かつ１０００ｋｃａｌ以下の献立）のそれぞれについて、図６に示した店舗別食材情報データベース３４０を参照しつつ、店舗毎に食材費を算出する。
【０１２０】
つぎに、制御部１０１は、予算（１５００円以下）を検索キーとして、第２の検索結果から食材費（店舗毎に算出）が１５００円以下の献立を検索する。以下では、この検索結果を第３の検索結果という。
【０１２１】
ステップＳＢ１２では、制御部１０１は、第３の検索結果に基づいて、１５００円以下の献立一覧を作成し、これを献立一覧画面２０７（図１３参照）として、ユーザ端末５００１  に表示させる。この場合、献立一覧は、１５００円以下、洋食、１０００ｋｃａｌ以下という三つの検索条件を満たす献立（例えば、カレーライス、ハンバーグ、ビーフシチュー、ハヤシライス等）の一覧である。
【０１２２】
図１４に示したステップＳＢ１４では、制御部１０１は、ユーザにより、献立一覧画面２０７から所望の献立が選択されたか否かを判断し、この場合、判断結果を「Ｎｏ」として、同判断を繰り返す。
【０１２３】
そして、ユーザにより献立一覧画面２０７で献立としてカレーライスが選択されたとすると、制御部１０１は、ステップＳＢ１４の判断結果を「Ｙｅｓ」とする。ステップＳＢ１５では、制御部１０１は、ステップＳＢ１１で算出された店舗毎の食材費（第３の検索結果）のうち、上記カレーライスに対応する店舗毎の食材費を抽出し、これらを店舗毎食材費一覧画面２０８（図１３参照）をユーザ端末５００１  に表示させる。この店舗毎食材費一覧画面２０８には、店舗毎の食材費（１５００円以下）が表示されている。
【０１２４】
ステップＳＢ１６では、制御部１０１は、店舗毎食材費一覧画面２０８の献立変更ボタン（図示略）がユーザにより押下されたか否かを判断し、この場合、判断結果を「Ｎｏ」とする。
【０１２５】
なお、献立変更ボタンが押下されると、制御部１０１は、ステップＳＢ１６の判断結果を「Ｙｅｓ」として、ステップＳＢ３（図１１参照）でジャンル設定画面２０４をユーザ端末５００１  に表示させる。これにより、ユーザは、献立を変更することが可能となる。
【０１２６】
ステップＳＢ１７では、制御部１０１は、店舗毎食材費一覧画面２０８のキャンセルボタン（図示略）が押下されたか否かを判断し、この場合、判断結果を「Ｎｏ」とする。
【０１２７】
なお、キャンセルボタンが押下されると、制御部１０１は、ステップＳＢ１７の判断結果を「Ｙｅｓ」として、ステップＳＢ１（図１１参照）で予算設定画面２０３をユーザ端末５００１  に表示させる。これにより、ユーザは、予算から設定し直すことが可能となる。
【０１２８】
ステップＳＢ１８では、制御部１０１は、ユーザにより、店舗毎食材費一覧画面２０８で注文先の店舗が選択されたか否かを判断し、この場合、判断結果を「Ｎｏ」とする。以後、制御部１０１は、ステップＳＢ１６〜ステップＳＢ１８のいずれかの判断結果が「Ｙｅｓ」となるまで、ステップＳＢ１６〜ステップＳＢ１８を繰り返す。
【０１２９】
そして、ユーザにより、店舗毎食材費一覧画面２０８の中から、最安値の食材費に対応する店舗が選択されたとすると、制御部１０１は、ステップＳＢ１８の判断結果を「Ｙｅｓ」とする。ステップＳＢ１９では、制御部１０１は、配達日時設定画面２０９をユーザ端末５００１  に表示させる。
【０１３０】
この配達日時設定画面２０９は、ユーザに選択された上記店舗からユーザ宅へ食材を配達する際の配達日時を設定するための画面である。ステップＳＢ２０では、制御部１０１は、ユーザにより、配達日時設定画面２０９で配達日時が設定されたか否かを判断し、この場合、判断結果を「Ｎｏ」として、同判断を繰り返す。
【０１３１】
そして、ユーザにより、配達日時設定画面２０９で配達日時が設定されると、制御部１０１は、ステップＳＢ２０の判断結果を「Ｙｅｓ」とする。ステップＳＢ２１では、制御部１０１は、注文内容確認画面２１０（図１３参照）をユーザ端末５００１  に表示させる。この注文内容確認画面２１０には、ステップＳＢ１８で選択された店舗、該店舗に注文する食材、数量、小計、注文合計、配達日時等の注文内容が表示されている。
【０１３２】
ステップＳＢ２２では、制御部１０１は、注文内容確認画面２１０のキャンセルボタン（図示略）が押下されたか否かを判断し、この場合、判断結果を「Ｎｏ」とする。
【０１３３】
なお、キャンセルボタンが押下されると、制御部１０１は、ステップＳＢ２２の判断結果を「Ｙｅｓ」として、ステップＳＢ１（図１１参照）で予算設定画面２０３をユーザ端末５００１  に表示させる。これにより、ユーザは、予算から設定し直すことが可能となる。
【０１３４】
ステップＳＢ２３では、制御部１０１は、注文内容確認画面２１０の確定ボタン（図示略）が押下されたか否かを判断し、この場合、判断結果を「Ｎｏ」とする。以後、ステップＳＢ２２またはステップＳＢ２３の判断結果が「Ｙｅｓ」になるまで、制御部１０１は、ステップＳＢ２２およびステップＳＢ２３を繰り返す。
【０１３５】
そして、ユーザは、注文内容確認画面２１０で注文内容を確認した後、確定ボタン（図示略）を押下する。これにより、制御部１０１は、ステップＳＢ２３の判断結果を「Ｙｅｓ」とする。
【０１３６】
ステップＳＢ２４では、制御部１０１は、注文内容に基づいて、注文情報、注文詳細情報および決済情報を作成し、これらを注文情報データベース３５０（図７参照）、注文詳細情報データベース３６０（図８参照）および決済情報データベース３７０（図９参照）に格納し、データベースを更新する。
【０１３７】
ステップＳＢ２５では、制御部１０１は、注文内容に基づく店舗用注文情報（注文ＩＤ、注文日時、店舗名、ユーザ情報、配達日時、注文詳細ＩＤ、店舗独自商品ＩＤ、数量、小計等）を、注文先の店舗に対応する、例えば、実店舗サーバ６００１  （図１参照）へ送信する。これにより、当該店舗では、当該献立で用いられる食材をユーザ宅へ配達するための手続きがとられる。
【０１３８】
ステップＳＢ２６では、制御部１０１は、注文完了画面２１１（図１３参照）をユーザ端末５００１  に表示させる。ステップＳＢ２７では、制御部１０１は、決済情報データベース３７０（図９参照）から当該ユーザに対応する決済情報を取得し、この決済情報に基づいて、決済部１０５に決済処理を実行させた後、図１０に示したメインルーチンへ戻る。
【０１３９】
以上説明したように、一実施の形態によれば、ユーザ設定の検索条件（予算、ジャンル、コンセプト等）に基づいて、複数の献立（図３参照）から所望の献立を検索し、情報収集部１０４による食材情報（図６参照）に基づき、献立で用いられる食材を検索し、さらに食材費を店舗毎に算出し、ユーザにより指定された店舗に対して、当該献立で用いられる食材を注文することとしたので、献立の作成や食材の調達に関してユーザの利便性を高めることができる。
【０１４０】
また、一実施の形態によれば、検索条件を、献立にかける予算としたので、ユーザの懐具合に応じた献立作成、食材の注文を行うことができる。
【０１４１】
また、一実施の形態によれば、検索条件を、献立のジャンルとしたので、ユーザが望むジャンルで献立を作成することができ、さらにユーザの利便利を高めることができる。
【０１４２】
また、一実施の形態によれば、検索条件を、献立のコンセプトとしたので、ユーザが望むコンセプトを献立に反映させることができ、さらにユーザの利便性を高めることができる。
【０１４３】
なお、一実施の形態においては、検索条件として予算、ジャンル、コンセプトをアンド条件で適用する構成例について説明したが、これらをオア条件として適用する構成例としてもよい。
【０１４４】
また、一実施の形態においては、予算設定画面２０３で１５００円以下という予算設定の例について説明したが、ユーザの懐具合に応じて最安値、最高値という設定や、１５００円から１８００円までという範囲の設定を行い、これらの設定に基づいて、献立、注文先を決定する構成例としてよい。
【０１４５】
また、一実施の形態においては、図１２に示したステップＳＢ１５で店舗毎食材費一覧画面２０８を表示させ、店舗毎食材費一覧画面２０８から店舗をユーザに選択させる構成例について説明したが、予め設定された選択基準（最安値（または最高値）の店舗を選択）に基づいて、店舗を自動選択する構成例としてもよい。
【０１４６】
この構成例では、食材費が最安値である店舗に対して、食材を注文することとしたので、食費の節約を支援することができる。また、この構成例では、食材費が最高値である店舗に対して、食材を注文することとしたので、豪華な食事をしたいというユーザの欲求を迅速かつ的確に満たすことができる。
【０１４７】
また、一実施の形態においては、ユーザが既に調達済みの食材を管理する調達済食材管理機能を献立支援装置１００に持たせ、図１１に示したステップＳＢ１１で、当該献立に関して調達済みの食材を除いた食材の食材費を店舗毎に算出する構成例としてもよい。この構成例において、ユーザは、冷蔵庫内や倉庫内等の食材を献立支援装置１００のデータベースに登録するという操作が必要となる。
【０１４８】
この構成例では、ユーザが既に調達済みの食材を管理し、調達済みの食材を除外した食材について、当該献立にかかる食材費を店舗毎に算出することとしたので、不足分の食材のみを注文することができ、店舗から合理的に食材を調達することができる。
【０１４９】
また、一実施の形態においては、複数の販売チャネル（店舗、店舗サーバ）から食材情報を収集する構成例について説明したが、ユーザが頻繁に利用する一つの販売チャネルから食材情報を収集し、該販売チャネルへ食材を注文する構成例としてもよい。
【０１５０】
この構成例では、ユーザが頻繁に利用する販売チャネル（店舗）へ注文することとしたので、献立の作成や食材の調達に関してユーザの利便性を高めることができる。
【０１５１】
また、一実施の形態においては、図１３に示したジャンル設定画面２０４に代えて、献立の名称を設定するための献立設定画面（図示略）を用いてもよい。献立の名称は、カレーライス、ちらし寿司等が挙げられる。食べたいものが決まっている場合、ユーザは、献立設定画面で、直接、献立の名称を設定する。この構成例では、食材の調達に関してユーザの利便性を高めることができる。
【０１５２】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【０１５３】
例えば、前述した一実施の形態においては、献立支援装置１００の機能を実現するためのプログラムを図１４に示したコンピュータ読み取り可能な記録媒体１０００に記録して、この記録媒体１０００に記録されたプログラムを同図に示したコンピュータ９００に読み込ませ、実行することにより各機能を実現してもよい。
【０１５４】
同図に示したコンピュータ９００は、上記プログラムを実行するＣＰＵ（Ｃｅｎｔｒａｌ  Ｐｒｏｃｅｓｓｉｎｇ  Ｕｎｉｔ）９１０と、キーボード、マウス等の入力装置９２０と、各種データを記憶するＲＯＭ（Ｒｅａｄ  Ｏｎｌｙ  Ｍｅｍｏｒｙ）９３０と、演算パラメータ等を記憶するＲＡＭ（Ｒａｎｄｏｍ  Ａｃｃｅｓｓ  Ｍｅｍｏｒｙ）９４０と、記録媒体１０００からプログラムを読み取る読取装置９５０と、ディスプレイ、プリンタ等の出力装置９６０と、装置各部を接続するバス９７０とから構成されている。
【０１５５】
ＣＰＵ９１０は、読取装置９５０を経由して記録媒体１０００に記録されているプログラムを読み込んだ後、プログラムを実行することにより、前述した機能を実現する。なお、記録媒体１０００としては、光ディスク、フレキシブルディスク、ハードディスク等が挙げられる。
【０１５６】
【発明の効果】
以上説明したように、請求項１、１０、１９にかかる発明によれば、ユーザ設定の検索条件、複数の献立から所望の献立を検索し、店舗から収集された食材情報に基づき、献立で用いられる食材を検索し、さらに食材費を店舗毎に算出し、ユーザにより指定された店舗に対して、当該献立で用いられる食材を注文することとしたので、献立の作成や食材の調達に関してユーザの利便性を高めることができるという効果を奏する。
【０１５７】
また、請求項２、１１、２０にかかる発明によれば、検索条件を、献立にかける予算としたので、ユーザの懐具合に応じた献立作成、食材の注文を行うことができるという効果を奏する。
【０１５８】
また、請求項３、１２、２１にかかる発明によれば、検索条件を、献立のジャンルとしたので、ユーザが望むジャンルで献立を作成することができ、さらにユーザの利便利を高めることができるという効果を奏する。
【０１５９】
また、請求項４、１３、２２にかかる発明によれば、検索条件を、献立のコンセプトとしたので、ユーザが望むコンセプトを献立に反映させることができ、さらにユーザの利便性を高めることができるという効果を奏する。
【０１６０】
また、請求項５、１４、２３にかかる発明によれば、食材費が最安値である店舗に対して、食材を注文することとしたので、食費の節約を支援することができるという効果を奏する。
【０１６１】
また、請求項６、１５、２４にかかる発明によれば、食材費が最高値である店舗に対して、食材を注文することとしたので、豪華な食事をしたいというユーザの欲求を迅速かつ的確に満たすことができるという効果を奏する。
【０１６２】
また、請求項７、１６、２５にかかる発明によれば、ユーザが既に調達済みの食材を管理し、調達済みの食材を除外した食材について、当該献立にかかる食材費を店舗毎に算出することとしたので、不足分の食材のみを注文することができ、店舗から合理的に食材を調達することができるという効果を奏する。
【０１６３】
また、請求項８、１７、２６にかかる発明によれば、ユーザにより設定された検索条件に基づいて、複数の献立から所望の献立を検索し、店舗から収集される食材情報に基づいて、献立で用いられる食材を店舗へ注文することとしたので、献立の作成や食材の調達に関してユーザの利便性を高めることができるという効果を奏する。
【０１６４】
また、請求項９、１８、２７にかかる発明によれば、複数の店舗から収集された食材情報に基づいて、ユーザに設定された献立で用いられる食材を店舗毎に検索し、当該献立にかかる食材費を店舗毎に算出し、食材費が算出された店舗の中からユーザにより指定された店舗に対して、当該献立で用いられる食材を注文することとしたので、食材の調達に関してユーザの利便性を高めることができるという効果を奏する。
【図面の簡単な説明】
【図１】本発明にかかる一実施の形態の構成を示すブロック図である。
【図２】図１に示したユーザ情報データベース３００を示す図である。
【図３】図１に示した献立情報データベース３１０を示す図である。
【図４】図１に示したジャンル情報テーブル３２０を示す図である。
【図５】図１に示した店舗情報データベース３３０を示す図である。
【図６】図１に示した店舗別食材情報データベース３４０を示す図である。
【図７】図１に示した注文情報データベース３５０を示す図である。
【図８】図１に示した注文詳細情報データベース３６０を示す図である。
【図９】図１に示した決済情報データベース３７０を示す図である。
【図１０】図１に示した献立支援装置１００の動作を説明するフローチャートである。
【図１１】図１０に示した献立支援・注文処理を説明するフローチャートである。
【図１２】図１１に示した献立支援・注文処理を説明するフローチャートである。
【図１３】図１に示した献立支援Ｗｅｂサイト２００における画面遷移を示す図である。
【図１４】同一実施の形態の変形例の構成を示すブロック図である。
【符号の説明】
１００  献立支援装置
１０１  制御部
１０２  Ｗｅｂ画面生成部
１０３  記憶部
１０４  情報収集部
１０５  決済部
１０６  通信部
２００  献立支援Ｗｅｂサイト
３００  ユーザ情報データベース
３１０  献立情報データベース
３２０  ジャンル情報テーブル
３３０  店舗情報データベース
３４０  店舗別食材情報データベース
３５０  注文情報データベース
３６０  注文詳細情報データベース
３７０  決済情報データベース
４００  ネットワーク
５００１  〜５００ｎ  ユーザ端末
６００１  〜６００ｍ  実店舗サーバ
７００１  〜７００ｓ  仮想店舗サーバ
９００  コンピュータ
【図１】
2004302641.tif 000003
【図２】
2004302641.tif 000004
【図３】
2004302641.tif 000005
【図４】
2004302641.tif 000006
【図５】
2004302641.tif 000007
【図６】
2004302641.tif 000008
【図７】
2004302641.tif 000009
【図８】
2004302641.tif 000010
【図９】
2004302641.tif 000011
【図１０】
2004302641.tif 000012
【図１１】
2004302641.tif 000013
【図１２】
2004302641.tif 000014
【図１３】
2004302641.tif 000015
【図１４】
2004302641.tif 000016